(57)【要約】【課題】起床時の覚醒作用に効果のある酸素富化空気を最大限に活用し、利用者に快適な寝覚めを与えることができる酸素富化機を提供する。【解決手段】酸素富化空気を生成する酸素富化手段２と、前記酸素富化手段２で生成された酸素富化空気を吐出する酸素富化空気吐出手段２０と、前記酸素富化空気の利用者が起床したときに信号を出力する起床判断手段３１と、前記起床判断手段３１からの前記信号を受けて前記酸素富化手段２を制御する制御手段Ａ３２とを備えたもので、起床判断手段３１により利用者の起床に合わせて制御手段Ａ３２が酸素富化手段２の運転を開始し、酸素富化手段２で生成された酸素富化空気を酸素富化空気吐出手段２０から吐出し、利用者に快適な寝覚めを与えることができる。【選択図】図３
2006212181.tif 000002
【特許請求の範囲】
【請求項１】
酸素富化空気を生成する酸素富化手段と、前記酸素富化手段で生成された酸素富化空気を吐出する酸素富化空気吐出手段と、前記酸素富化空気の利用者が起床したときに信号を出力する始動手段と、前記始動手段からの前記信号を受けて前記酸素富化手段を制御する制御手段とを備えた酸素富化機。
【請求項２】
始動手段として利用者が起床したかどうかを判断する起床判断手段を設け、前記起床判断手段で前記利用者が起床したと判断すると、制御手段が酸素富化手段の運転を開始する請求項１に記載の酸素富化機。
【請求項３】
酸素富化空気の量を調整する酸素吐出量調整手段を設け、利用者が起床したと判断して、制御手段が酸素富化手段の運転を行うときに、前記酸素富化空気の量を徐々に増やすように構成した請求項２に記載の酸素富化機。
【請求項４】
酸素富化空気の酸素濃度を調整する酸素吐出濃度調整手段を設け、利用者が起床したと判断して、制御手段が酸素富化手段の運転を行うときに、前記酸素富化空気の酸素濃度を徐々に高めるように構成した請求項２または３に記載の酸素富化機。
【請求項５】
酸素富化空気吐出手段に酸素富化空気を吐出する吐出部を設け、前記吐出部を、枕又は枕カバーに設けた請求項１〜４のいずれか１項に記載の酸素富化機。
【発明の詳細な説明】
【技術分野】
【０００１】
本発明は、酸素富化空気を使用者に提供する酸素富化機に関するものである。
【背景技術】
【０００２】
従来のこの種の酸素富化機として、商用電源に接続され空気中の酸素を濃縮して酸素富化空気を発生させる装置本体と、これに接続され酸素富化空気を吐出する酸素吐出部と、音声を発生する発生源と、使用者の頭につけるヘッドホンタイプの音声出力部等を備え、前記酸素吐出部と前記音声出力部とを一体にすると共に、前記酸素吐出部を使用者の口の部分に位置させることで、酸素富化空気を吸入することができるようにしたものがあった（例えば、特許文献１参照）。
【特許文献１】特開平３−６３０６７号公報
【発明の開示】
【発明が解決しようとする課題】
【０００３】
しかしながら、上記従来の酸素富化機は、起床時に使用する場合、一旦目が覚めてから、ヘッドホンタイプの音声出力部を頭に装着し、電源を入れて酸素富化機を始動しなければならず、その時点では既に睡眠から覚めているため、覚醒作用に効果のある酸素富化機を十分に活用することができないという課題を有していた。
【０００４】
本発明は、前記従来の課題を解決するもので、起床時の覚醒作用に効果のある酸素富化機を最大限に活用し、利用者に快適な寝覚めを与えることができる酸素富化空気を提供することを目的とする。
【課題を解決するための手段】
【０００５】
前記従来の課題を解決するために、本発明の酸素富化機は、酸素富化空気を生成する酸素富化手段と、前記酸素富化手段で生成された酸素富化空気を吐出する酸素富化空気吐出手段と、前記酸素富化空気の利用者が起床したときに信号を出力する始動手段と、前記始動手段からの前記信号を受けて前記酸素富化手段を制御する制御手段とを備えたもので、始動手段により利用者の起床に合わせて制御手段が酸素富化手段の運転を開始し、酸素富化手段で生成された酸素富化空気が酸素富化空気吐出手段から吐出され、利用者に快適な寝覚めを与えることができる。
【発明の効果】
【０００６】
本発明の酸素富化機の制御装置は、起床時の覚醒作用に効果のある酸素富化機を最大限に活用し、利用者に快適な寝覚めを与えることができる。
【発明を実施するための最良の形態】
【０００７】
第１の発明は、酸素富化空気を生成する酸素富化手段と、前記酸素富化手段で生成された酸素富化空気を吐出する酸素富化空気吐出手段と、前記酸素富化空気の利用者が起床したときに信号を出力する始動手段と、前記始動手段からの前記信号を受けて前記酸素富化手段を制御する制御手段とを備えたもので、始動手段により利用者の起床に合わせて制御手段が酸素富化手段の運転を開始し、酸素富化手段で生成された酸素富化空気が酸素富化空気吐出手段から吐出され、利用者に快適な寝覚めを与えることができる。
【０００８】
第２の発明は、特に、第１の発明の始動手段として利用者が起床したかどうかを判断する起床判断手段を設け、前記起床判断手段で前記利用者が起床したと判断すると、制御手段が酸素富化手段の運転を開始するもので、利用者の自然の目覚めを起床判断手段で判断して、それから酸素富化手段の運転が開始されるので、利用者は極めて快適に起床することができる。
【０００９】
第３の発明は、特に、第２の発明に加えて、酸素富化空気の量を調整する酸素吐出量調整手段を設け、利用者が起床したと判断して、制御手段が酸素富化手段の運転を行うときに、前記酸素富化空気の量を徐々に増やすようにしたもので、酸素吐出量調整手段により、起床時に吐出される酸素富化空気の量が徐々に増えるので、利用者に快適な寝覚めを与えることができる。
【００１０】
第４の発明は、特に、第２または第３の発明に加えて、酸素富化空気の酸素濃度を調整する酸素吐出濃度調整手段を設け、利用者が起床したと判断して、制御手段が酸素富化手段の運転を行うときに、前記酸素富化空気の酸素濃度を徐々に高めるようにしたもので、利用者にさらに快適な寝覚めを与えることができる。
【００１１】
第５の発明は、特に、第１〜第４のいずれか１つの発明の酸素富化空気吐出手段に酸素富化空気を吐出する吐出部を設け、前記吐出部を、枕又は枕カバーに設けたもので、利用者が枕に頭を乗せた状態で、酸素富化空気が吐出され、起床時に自然な寝た状態で覚醒作用が働き、利用者に快適な寝覚めを与えることができる。
【００１２】
以下、本発明の実施の形態について、図面を参照しながら説明する。なお、この実施の形態によって本発明が限定されるものではない。
【００１３】
（実施の形態１）
図１は、本発明の第１の実施の形態における酸素富化機の側断面図、図２は、同酸素富化機の上から見たときの断面図である。
【００１４】
図１、図２において、酸素富化機の本体１の内部には、酸素濃度の高い空気、いわゆる酸素富化空気を生成する酸素富化手段２が設けられている。この酸素富化手段２は、酸素富化膜ユニット３と、酸素富化膜ユニット３に空気を送るファンモータ４と、酸素富化膜ユニット３を通して空気を吸引する吸引手段であるポンプ５と、酸素富化空気が通る酸素富化空気供給経路１１等から構成されている。
【００１５】
酸素富化膜ユニット３は、有機高分子の平膜より構成され、その平膜を通過する分子の速度の差を利用するもので、空気中の窒素に比べ酸素をよく通すため、比較的酸素濃度の高い空気、いわゆる酸素富化空気が得られる。通常の空気において酸素が占める割合は約２１％（窒素約７９％）であるが、本実施の形態の酸素富化膜ユニット３を通過後の酸素富化空気においては、酸素が占める割合が約３０％（窒素約７０％）となる。
【００１６】
ファンモータ４は、本体１の内部に設けられ、本体１の背面に設けた吸気口７から本体１内に外気を吸引し、酸素富化膜ユニット３に送った後、酸素富化膜ユニット３内に吸引された空気以外の外気を、本体１の側面に設けた排気口８から外部に排出するためのものである。
【００１７】
ポンプ５は、本体１内の酸素富化膜ユニット３の下方に設けられ、酸素富化膜ユニット３を通して吸引し、そこで得られた酸素富化空気を、下流側の酸素富化空気供給経路１１を介して、本体１の側面に設けられた吐出手段１２に送り、さらに吐出手段１２に連結された酸素富化空気吐出手段２０に送り込み、外部すなわち利用者へ送出するものである。
【００１８】
ポンプ５には、酸素富化膜ユニット３の通過圧損に対抗して酸素富化空気の流量を十分確保するために、運転時の圧力が高いベローズポンプが用いられている。
【００１９】
また、外気が流入する吸気口７には、外気に含まれる塵埃を捕集するための吸気フィルター９を設けており、吸気口７から流入した外気は、吸気フィルター９を通過後、吸引経路１０を通って酸素富化膜ユニット３に供給される。このときの酸素富化空気の吐出量はポンプ５の出力を制御することにより、変えることができる。１４は、後述の制御手段を有する制御部である。
【００２０】
図３は、本実施の形態における酸素富化機の第１の制御例を示すブロック図である。
【００２１】
図３において、３１は、利用者の起床時に動作する始動手段となる起床判断手段で、利用者の起床を判断して信号を制御手段Ａ３２に出力するものである。制御手段Ａ３２は、起床判断手段３１から信号を受けて酸素富化手段２の運転の開始／停止を制御するものである。
【００２２】
以上のように構成された酸素富化機について、以下その動作、作用を説明する。
【００２３】
まず、起床判断手段３１が、利用者の起床を自動で判断して制御手段Ａ３２に信号を出力し、制御手段Ａ３２はこの信号を受けて、酸素富化手段２の運転を開始し、酸素富化手段２にて生成された酸素富化空気が、利用者の口元の近くに置かれた酸素富化空気吐出手段２０より吐出され、起床時の寝覚めを良くする覚醒運転が行われる。ここで起床判断手段３１は、例えば利用者の睡眠状態をモニタして眠りのサイクルから起床のタイミングを判断するようにしている。
【００２４】
以上のように、本実施の形態によれば、起床時に酸素富化空気の覚醒作用を十分に利用して、利用者に快適な寝覚めを与えることができる。
【００２５】
図４は、本実施の形態における酸素富化機の第２の制御例を示すブロック図、図５は、同酸素富化機に使用される始動タイマを示す概略図である。
【００２６】
本制御例は、図４に示すように、酸素富化手段２の運転、停止を制御する制御手段Ｂ３５に信号を送る始動手段として始動タイマ３３を設け、利用者が寝る前に、予め起床する時刻に合わせて始動タイマ３３に時間を設定するようにしたものである。
【００２７】
その後、始動タイマ３３は、時間のカウントをスタートし設定された所定の時間経過した後、制御手段Ｂ３５に信号を出力する。これを受けて制御手段Ｂ３５は酸素富化手段２の運転を開始すると、酸素富化手段２にて生成された酸素富化空気が酸素富化空気吐出手段２０から吐出され、寝覚め良く起床することができる。
【００２８】
ここで始動タイマ３３は、図５の概略図に示すようにダイアル式で時間を設定するものや、図示しないが、例えば複数のＬＥＤ（例えば、４時間、６時間、８時間のＬＥＤ）とスイッチの切り替えとで構成し、所定時間を設定するようにしてもよい。
【００２９】
これにより、利用者は自分の起きる時間に合わせて酸素富化機の始動を行うことができ、酸素富化空気の覚醒作用で、利用者に快適な寝覚めを与えることができる。
【００３０】
図６は、本実施の形態における酸素富化機の第３の制御例を示すブロック図、図７は、同酸素富化機の始動時刻設定手段を示す概略図である。
【００３１】
本制御例は、図６に示すように、酸素富化手段２の運転、停止を制御する制御手段Ｃ３８に、始動手段として起床する時刻を設定する始動時刻設定手段３６を接続し、利用者が寝る前に、予め起床する時刻に合わせて、始動時刻設定手段３６に時刻を設定し、始動時刻設定手段３６が、設定された所定時刻になると制御手段Ｃ３８に信号を出力し、その信号を受けた制御手段Ｃ３８が酸素富化手段２の運転を開始するようにしたものである。ここで始動時刻設定手段３６は、図７の概略図に示すように、時刻を表示する表示部３６ａと、起床時刻の設定を行うためのスイッチ３６ｂにより構成されており、利用者が操作しないときには通常現在時刻を表示する。また表示部３６ａには液晶板を用いたり、あるいは７セグメントＬＥＤで構成してもよい。
【００３２】
以上のように、本制御例によれば、利用者の起きる時刻に合わせて酸素富化機が起動し、酸素富化手段２にて生成された酸素富化空気が酸素富化空気吐出手段２０より吐出され、酸素富化空気の覚醒作用により、利用者に快適な寝覚めを与えることができる。
【００３３】
図８は、本実施の形態における酸素富化機の第４の制御例を示すブロック図である。
【００３４】
本制御例は、図８に示すように、酸素富化手段２の運転を制御する制御手段Ｄ４１に、始動手段として利用者個人の起床時刻を記憶させた起床時刻記憶手段３９を接続し、起床時刻記憶手段３９が、予め記憶された時刻なると制御手段Ｄ４１に信号を出力するようにしたものである。
【００３５】
利用者の生活習慣に基づき、起床時刻記憶手段３９は、利用者個人の１週間の起床時刻を記憶する。例えば、平日の月曜日から金曜日までは午前７時、休日の土曜日、日曜日には午前９時といったように利用者の生活習慣に応じた起床時刻を記憶する。これは、多くの人は、日々の都合により眠りに着く時間は異なるが、翌朝は概ね決まった時刻に起床する（例えば仕事の出勤時間に合わせて起きる）といった習慣によるものである。
【００３６】
よって、起床時刻記憶手段３９は、予め記憶された所定の時刻になると制御手段Ｄ４１に信号を出力し、これを受けて制御手段Ｄ４１が酸素富化手段２の運転を開始する。酸素富化空気吐出手段２０は、酸素富化手段２にて生成された酸素富化空気を吐出し、起床時の寝覚めを良くする覚醒運転を行う。
【００３７】
これにより、利用者の生活習慣、生活パターンに合わせて起床時に酸素富化機の始動を自動的に行うことができ、酸素富化空気の覚醒作用から、利用者に快適な寝覚めを与えることができる。
【００３８】
図９は、本実施の形態における酸素富化機の第５の制御例を示すブロック図である。
【００３９】
本制御例は、図９に示すように、酸素富化手段２の運転を制御する制御手段Ｅ４３に、利用者の起床を判断する起床判断手段３１を接続し、吐出される酸素富化空気の量を調整する酸素吐出量調整手段４２を設けたものである。
【００４０】
起床判断手段３１は、第１の制御例で述べたものと同一で、利用者の起床を判断して制御手段Ｅ４３に信号を出力し、制御手段Ｅ４３はこの信号を受けて、酸素富化手段２の運転を開始する。これと同時に、酸素吐出量調整手段４２は、吐出する酸素富化空気の量を調整し、覚醒運転時に吐出する酸素富化空気の量を徐々に増やす。ここで酸素吐出量調整手段４２は、酸素富化手段２に信号を送り、例えば酸素富化手段２内のポンプ５による吸引流量を変えることにより酸素富化空気の量を調整する。
【００４１】
これにより、最初睡眠状態では微少の吐出量で、利用者が寝覚めるに従ってより多くの酸素富化空気を供給することで、効果的に酸素を摂取することができ、利用者に快適な寝覚めを与えることができる。
【００４２】
図１０は、本実施の形態における酸素富化機の第６の制御例を示すブロック図である。  
【００４３】
本制御例は、図１０に示すように、酸素富化手段２の運転を制御する制御手段Ｆ４５に、利用者の起床を判断する起床判断手段３１を接続し、酸素富化空気の濃度を調整する酸素吐出濃度調整手段４４を設けたものである。
【００４４】
起床判断手段３１は、第１の制御例で述べたものと同一で、利用者の起床を判断して制御手段Ｆ４５に信号を出力し、制御手段Ｆ４５はこの信号を受けて、酸素富化手段２の運転を開始する。これと同時に、酸素吐出濃度調整手段４４が、酸素富化空気吐出手段２０から吐出される酸素富化空気の濃度を調整し、覚醒運転時に吐出する酸素富化空気の酸素濃度を徐々に増やす。
【００４５】
酸素吐出濃度調整手段４４は、酸素富化手段２に信号を送り、例えば、酸素富化手段２内のポンプ５による吸引圧力を変えることにより酸素富化空気の濃度を調整する。
【００４６】
これにより、最初の睡眠状態では薄い酸素濃度で、利用者が寝覚めるに従ってより酸素濃度の高い酸素富化空気を供給することで、効果的に酸素を摂取することができると共に、利用者に快適な寝覚めを与えることができる。
【００４７】
図１１は、本実施の形態における酸素富化機の第７の制御例を示すブロック図である。  
【００４８】
本制御例は、図１１に示すように、酸素富化手段２の運転を制御する制御手段Ｇ４７に、利用者の起床を判断する起床判断手段３１と、利用者の起床時における酸素富化手段２の運転時間を設定する停止タイマ４６を接続したものである。
【００４９】
最初に、利用者は、停止タイマ４６により、起床時における酸素富化手段２の運転時間を設定する。例えば、一般的に酸素富化空気の供給時間は、３０分程度とされている。利用者の起床を判断して起床判断手段３１が制御手段Ｇ４７に信号を送ると、それを受けて、制御手段Ｇ４７は、酸素富化手段２の運転を開始すると同時に、停止タイマ４６による時間のカウントをスタートさせる。停止タイマ４６は、予め設定された運転時間が経過すると、制御手段Ｇ４７に信号を出力し、制御手段Ｇ４７はこの信号を受けて酸素富化手段２の運転を停止するものである。
【００５０】
これにより、覚醒運転に際し適量の酸素富化空気を利用者に供給でき、利用者に快適な寝覚めを与えることができる。また、酸素富化機の電源が入りっぱなしになることがなく、無駄な電力消費を防止できる。
【００５１】
図１２は、本実施の形態における酸素富化機の第８の制御例を示すブロック図である。
【００５２】
本制御例は、図１２に示すように、酸素富化手段２の運転を制御する制御手段Ｈ４９に、利用者の起床を判断する起床判断手段３１と、起床時における酸素富化手段２の運転を強制的に停止する強制停止手段４８を接続したものである。
【００５３】
利用者の起床を判断して起床判断手段３１が制御手段Ｈ４９に信号を送ると、それを受けて、制御手段Ｈ４９は、酸素富化手段２の運転を開始し、酸素富化空気吐出手段２０が、酸素富化手段２にて生成された酸素富化空気を吐出し利用者に供給する。利用者は酸素富化空気の覚醒作用により目覚め、それ以上酸素富化空気を必要としない場合、利用者は強制停止手段４８を操作し酸素富化機の運転を停止する。ここで、強制停止手段４８は最優先で働くため、例えば、第７の制御例で示した停止タイマ４６がまだ動作中であっても、強制的に酸素富化機を停止することができる。
【００５４】
これにより、利用者の意思に応じた適量の酸素富化空気が供給され、利用者に快適な寝覚めを与えることができると共に、酸素富化機が不必要に運転されることがない。
【００５５】
図１３は、本実施の形態における酸素富化機の第９の制御例を示すブロック図である。
【００５６】
本制御例は、図１３に示すように、酸素富化手段２の運転を制御する制御手段Ｉ５１に、利用者の起床を判断する起床判断手段３１を接続すると共に、起床時に徐々に室内を明るくする発光手段５０を設け、利用者の起床を判断して起床判断手段３１が制御手段Ｉ５１に信号を送ると、それを受けて、制御手段Ｉ５１は、酸素富化手段２の運転を開始すると同時に、発光手段５０で徐々に室内を明るくするものである。
【００５７】
これにより、酸素富化空気の覚醒作用に加えて光による覚醒作用により、利用者に快適な寝覚めを与えることができる。なお、発光手段５０は、それ自体ランプ（図示せず）を有し、そのランプの明るさを徐々に上げていくようにしている。なお、発光手段５０にはランプなどの照明具を設けず、室内の既存の照明器具を制御して明るさを変えるようにしても良い。
【００５８】
図１４は、本実施の形態における酸素富化機の第１０の制御例を示すブロック図である。
【００５９】
本制御例は、図１４に示すように、酸素富化手段２の運転を制御する制御手段Ｊ５３に、利用者の起床を判断する起床判断手段３１を接続すると共に、覚醒運転時に音楽をならす音楽出力手段５２を設け、利用者の起床を判断して起床判断手段３１が制御手段Ｊ５３に信号を送ると、それを受けて、制御手段Ｉ５１は、酸素富化手段２の運転を開始すると同時に、音楽出力手段５２で音楽をならすようにしたものである。
【００６０】
これにより、酸素富化空気の覚醒作用に加えて心地よい音楽により、利用者に快適な寝覚めを与えることができる。なお、音楽出力手段５２で音楽を鳴らす際の音量を、最初は小さく、目覚めに合わせて次第に上げるようにようにすれば、さらに目覚めが快適なものとなる。また、音楽出力手段５２は、音楽に代え、音声を出すようにしても良い。
【００６１】
図１５は、本実施の形態における酸素富化機の第１１の制御例を示すブロック図である。
【００６２】
本制御例は、図１５に示すように、酸素富化手段２の運転を制御する制御手段Ｋ５５に、利用者の起床を判断する起床判断手段３１を接続すると共に、香りを発生する香り発生手段５４を設け、利用者の起床を判断して起床判断手段３１が制御手段Ｋ５５に信号を送ると、それを受けて、制御手段Ｋ５５は、酸素富化手段２の運転を開始すると同時に、香り発生手段５４を動作させて、香りを発生させるようにしたものである。
【００６３】
これにより、酸素富化空気の覚醒作用に加えて心地よい香りにより、利用者に快適な寝覚めを与えることができる。
【００６４】
なお、上記第５〜１１の制御例では、各制御手段に起床判断手段３１を接続した例を示したが、それの代わりに、始動タイマ３３、始動時刻設定手段３６、起床時刻記憶手段３９といった始動手段を接続しても良いことはいうまでもない。
【００６５】
（実施の形態２）
図１６は、本発明の第２の実施の形態における酸素富化機の全体構成を示す斜視図である。なお、上記第１の実施の形態と同一部分については、同一符号を付してその説明を省略する。
【００６６】
本実施の形態は、酸素富化空気吐出手段２０を、一端が本体１に設けた吐出手段１２に連結され可撓性に優れたチューブ２０ａと、チューブ２０ａの他端に接続されると共に、略Ｕの字状に形成され酸素富化空気を吐出する吐出部２２を有する枕２１で構成したものである。
【００６７】
上記構成により、利用者がまくら２１に頭を乗せた状態で、まくら２１に設けた吐出部２２から酸素富化空気が吐出されるので、起床時に自然に寝た状態で覚醒作用が働き、利用者に快適な寝覚めを与えることができる。なお、上記実施の形態では、まくら２１を略Ｕの字状に形成したが、特に形状にこだわるものではなく、一般的な円筒形のまくらでも良い。また、特に図示しないが、上記まくらに代えて、吐出部２２を設けたまくらカバーをチューブ２０ａに接続してもよく、この場合は、家庭内で、利用者によって異なる個人のまくらにも装着できるので、より使用勝手が向上するものである。
【産業上の利用可能性】
【００６８】
以上のように、本発明にかかる酸素富化機の制御装置は、利用者の起床に合わせて最適な酸素富化空気を供給することができるので、家庭用の酸素富化機に限らず、疲労回復などの目的のために高濃度酸素を効果的に利用する施設、設備などで使用される業務用酸素富化機にも適用できるものである。
【図面の簡単な説明】
【００６９】
【図１】本発明の実施の形態１における酸素富化機の側断面図
【図２】同酸素富化機の上から見た断面図
【図３】同酸素富化機の第１の制御例を示すブロック図
【図４】同酸素富化機の第２の制御例を示すブロック図
【図５】同酸素富化機のタイマを示す概略図
【図６】同酸素富化機の第３の制御例を示すブロック図
【図７】同酸素富化機の始動時刻設定手段を示す概略図
【図８】同酸素富化機の第４の制御例を示すブロック図
【図９】同酸素富化機の第５の制御例を示すブロック図
【図１０】同酸素富化機の第６の制御例を示すブロック図
【図１１】同酸素富化機の第７の制御例を示すブロック図
【図１２】同酸素富化機の第８の制御例を示すブロック図
【図１３】同酸素富化機の第９の制御例を示すブロック図
【図１４】同酸素富化機の第１０の制御例を示すブロック図
【図１５】同酸素富化機の第１１の制御例を示すブロック図
【図１６】本発明の実施の形態２における酸素富化機の全体構成を示す斜視図
【符号の説明】
【００７０】
１    本体
２    酸素富化手段
２０  酸素富化空気吐出手段
２１  枕
２２  吐出部
３１  起床判断手段（始動手段）
３２  制御手段Ａ（制御手段）
３３  始動タイマ（始動手段）
３５  制御手段Ｂ（制御手段）
３６  始動時刻設定手段（始動手段）
３８  制御手段Ｃ（制御手段）
３９  起床時刻記憶手段（始動手段）
４１  制御手段Ｄ（制御手段）
４２  酸素吐出量調整手段
４３  制御手段Ｅ（制御手段）
４４  酸素吐出濃度調整手段
４５  制御手段Ｆ（制御手段）
４６  停止タイマ
４７  制御手段Ｇ（制御手段）
４８  強制停止手段
４９  制御手段Ｈ（制御手段）
５０  発光手段
５１  制御手段Ｉ（制御手段）
５２  音楽出力手段
５３  制御手段Ｊ（制御手段）
５４  香り発生手段
５５  制御手段Ｋ（制御手段）
【図１】
2006212181.tif 000003
【図２】
2006212181.tif 000004
【図３】
2006212181.tif 000005
【図４】
2006212181.tif 000006
【図５】
2006212181.tif 000007
【図６】
2006212181.tif 000008
【図７】
2006212181.tif 000009
【図８】
2006212181.tif 000010
【図９】
2006212181.tif 000011
【図１０】
2006212181.tif 000012
【図１１】
2006212181.tif 000013
【図１２】
2006212181.tif 000014
【図１３】
2006212181.tif 000015
【図１４】
2006212181.tif 000016
【図１５】
2006212181.tif 000017
【図１６】
2006212181.tif 000018